(57)【要約】【課題】障子が下レールから上方に離隔する状態で、障子が下レールから外れるのを防止して、障子の脱落を抑制する。【解決手段】建具１は、下レール６Ｆと、下レール６Ｆに沿ってスライドする障子３と、障子３に設けられて障子３が下レール６Ｆから外れるのを防止する外れ止め機構８を備えている。外れ止め機構８は、障子３が下レール６Ｆから上方に離隔するときに、下レール６Ｆと係合する係合部３１により障子３から引き出されて突出する外れ止め部材３０を有する。【選択図】  図９
2019143445.tif 000002
【特許請求の範囲】
【請求項１】
下レールと、前記下レールに沿ってスライドする障子と、前記障子に設けられて前記障子が前記下レールから外れるのを防止する外れ止め機構と、を備えた建具であって、
前記外れ止め機構は、前記障子が前記下レールから上方に離隔するときに、前記下レールと係合する係合部により前記障子から引き出されて突出する外れ止め部材を有する建具。
【請求項２】
請求項１に記載された建具において、
前記外れ止め機構は、前記外れ止め部材を前記障子側の保持位置で保持するとともに、前記外れ止め部材が前記保持位置から引き出されるときに、前記外れ止め部材の保持を解除する保持手段を有する建具。
【請求項３】
請求項２に記載された建具において、
前記外れ止め機構は、前記外れ止め部材を収納する収納部を有し、
前記外れ止め部材は、前記収納部に収納される収納位置と最突出位置との間で移動し、
前記保持位置は、前記収納位置、又は、前記収納位置と前記最突出位置の間の位置である建具。
【請求項４】
請求項１ないし３のいずれかに記載された建具において、
前記下レールは、前記下レールの長手方向に延びる突部を有し、
前記外れ止め部材の係合部は、前記下レールの突部の下側に配置されて、前記下レールの突部に係合する係合突起を有する建具。
【請求項５】
請求項１ないし４のいずれかに記載された建具において、
前記外れ止め機構は、前記障子から突出する前記外れ止め部材をガイドする突出ガイドを有し、
前記外れ止め部材は、前記突出ガイドに対して摺動して前記突出ガイドによりガイドされる摺動部を有する建具。
【請求項６】
請求項１ないし５のいずれかに記載された建具において、
前記外れ止め部材は、前記障子の前記下レールに沿ったスライドをガイドするスライドガイド部を有する建具。
【請求項７】
請求項１ないし６のいずれかに記載された建具において、
前記外れ止め部材は、前記外れ止め機構の接触部と接触して支持される支持部を有する建具。
【請求項８】
請求項１ないし７のいずれかに記載された建具において、
前記外れ止め部材は、前記係合部が前記下レールと係合せずに前記下レールに載せられたときに、前記下レールと接触する突起を有し、
前記下レールは、前記外れ止め部材の突起が前記下レールと接触した状態で前記障子とともにスライドするときに、前記外れ止め部材の突起と接触して、前記外れ止め部材を震動させる接触部を有する建具。
【発明の詳細な説明】
【技術分野】
【０００１】
本発明は、下レールに沿ってスライドする障子を備えた建具に関する。
【背景技術】
【０００２】
スライド式の障子を開閉するときに、不意の動作（例えば、よろけ、つまずき）に伴う力が障子にかかり、障子が下レールから上方に離隔することがある。この場合には、障子が下レールから外れて脱落することが懸念される。これに対し、従来、レールの両側の隙間に挿入した２片の係止爪により、レールから外れるのを防止する引戸が知られている（特許文献１参照）。
【０００３】
ところが、特許文献１に記載された従来の引戸では、引戸に急激に力がかかると、衝撃が係止爪に作用して、係止爪がレールから外れる虞がある。この場合には、係止爪により引戸をレールに係止できず、引戸がレールから上方に離隔することがある。従って、従来の引戸に関しては、引戸が脱落するのをより確実に抑制する観点から、改良の余地がある。
【先行技術文献】
【特許文献】
【０００４】
【特許文献１】特許第２９０７６３５号公報
【発明の概要】
【発明が解決しようとする課題】
【０００５】
本発明は、前記従来の問題に鑑みなされたもので、その目的は、障子が下レールから上方に離隔する状態で、障子が下レールから外れるのを防止して、障子の脱落を抑制することである。
【課題を解決するための手段】
【０００６】
本発明は、下レールと、前記下レールに沿ってスライドする障子と、前記障子に設けられて前記障子が前記下レールから外れるのを防止する外れ止め機構と、を備えた建具である。前記外れ止め機構は、前記障子が前記下レールから上方に離隔するときに、前記下レールと係合する係合部により前記障子から引き出されて突出する外れ止め部材を有する。
【発明の効果】
【０００７】
本発明によれば、障子が下レールから上方に離隔する状態で、障子が下レールから外れるのを防止して、障子の脱落を抑制することができる。
【図面の簡単な説明】
【０００８】
【図１】第１実施形態の建具の正面図である。
【図２】第１実施形態の建具の縦断面図である。
【図３】第１実施形態の建具の正面図である。
【図４】第１実施形態の建具の正面図である。
【図５】第１実施形態の外れ止め部材を示す図である。
【図６】第１実施形態の外れ止め機構を示す図である。
【図７】第１実施形態の障子から突出する外れ止め部材を示す図である。
【図８】第１実施形態の障子から突出する外れ止め部材を示す図である。
【図９】第１実施形態の外れ止め機構が作動したときの状態を示す図である。
【図１０】第２実施形態の外れ止め機構を示す図である。
【図１１】第２実施形態の外れ止め機構を示す図である。
【図１２】第３実施形態の外れ止め部材を示す図である。
【図１３】第４実施形態の外れ止め機構を示す図である。
【図１４】第４実施形態の外れ止め機構を示す図である。
【図１５】第４実施形態の外れ止め部材の他の例を示す図である。
【図１６】第５実施形態の外れ止め機構を示す図である。
【図１７】第５実施形態の外れ止め機構を示す図である。
【図１８】第６実施形態の外れ止め部材を示す図である。
【図１９】第６実施形態の外れ止め部材を下レールに取り付ける手順を示す図である。
【図２０】第７実施形態の外れ止め機構を示す図である。
【図２１】第８実施形態の外れ止め機構を示す図である。
【図２２】第９実施形態の建具の縦断面図である。
【発明を実施するための形態】
【０００９】
本発明の建具の一実施形態について、図面を参照して説明する。
本実施形態の建具は、スライド式の障子を備えた建具である。以下では、引戸を例にとり、建具の複数の実施形態について説明する。また、建具は、浴室の出入口に設置される浴室用のドアであり、浴室と脱衣室の間に配置される。
【００１０】
（第１実施形態）
図１は、第１実施形態の建具１の正面図であり、建具１の概略構成を示している。図１において、左右方向が水平方向であり、上下方向が垂直方向である。
図示のように、建具１は、三枚片引戸であり、建物の開口部に設置される。また、建具１は、３つの障子３と、障子３を囲む枠体４を備えている。障子３は、スライドにより移動する方形状の可動体であり、枠体４にスライド可能に取り付けられている。３つの障子３は、枠体４の開口部４Ａにおいて、障子３の厚み方向（建具１の奥行方向）に互いにずらして配置され、それぞれ左右方向にスライドして移動する。障子３のスライド（移動）により、枠体４の開口部４Ａが開閉される。
【００１１】
障子３は、方形状の框体１０と、框体１０内に配置されたパネル体１１を有している。框体１０は、枠組みされた４つの框１２〜１４（上框１２、下框１３、一対の縦框１４）を有している。框１２〜１４は、それぞれ障子３の縁部（上縁部、下縁部、一対の縦縁部）に設けられた長尺な框材であり、例えば、押出成形により形成されている。パネル体１１は、方形状の面材であり、框体１０に嵌め込まれている。ハンドル１５が、左右両側の障子３の一方の縦框１４（戸先框）に取り付けられている。ハンドル１５を用いて、障子３をスライドして、枠体４の開口部４Ａを開閉する。
【００１２】
枠体４は、建物の開口部に設置される方形状の開口枠（引戸枠）であり、枠組みされた４つの枠５〜７（上枠５、下枠６、一対の縦枠７）を有している。枠５〜７は、枠体４を構成する長尺な枠材であり、例えば、押出成形により形成されている。４つの枠５〜７により、方形状の開口部４Ａが枠体４の内側に形成されている。上枠５と下枠６は、左右方向（横方向）に延びる横枠であり、それぞれ障子３の上方と下方に配置されている。縦枠７は、障子３の側方に配置されて、上下方向（縦方向）に延びる。
【００１３】
障子３の上框１２は、上枠５に沿って配置される障子３の上縁部であり、障子３の下框１３は、下枠６に沿って配置される障子３の下縁部である。障子３の縦框１４は、上下方向に延びる障子３の縦縁部である。障子３のスライド方向（移動方向）は、上枠５及び下枠６の長手方向であり、障子３は、上枠５及び下枠６の長手方向にスライドする。３つの障子３により枠体４の開口部４Ａを閉じたときに、３つの障子３は、縦框１４同士が障子３の厚み方向（枠体４の見込み方向）に対向する状態で、上枠５及び下枠６の長手方向に順に配置される。枠体４の開口部４Ａを開いたときに、３つの障子３は、障子３の厚み方向に重なり合う。
【００１４】
図２は、第１実施形態の建具１の縦断面図であり、重なり合う３つの障子３の断面を示している。
図示のように、建具１は、障子３により仕切られる建物の２つの空間の間に配置されている。ここでは、２つの空間のうち、一方の空間が脱衣室であり、他方の空間が浴室である。従って、建具１の一方側が脱衣室側であり、建具１の他方側が浴室側である。３つの障子３は、脱衣室側から浴室側に向かって順に配置された第１障子３Ａ、第２障子３Ｂ、及び、第３障子３Ｃからなる。第１障子３Ａは、脱衣室側障子であり、第３障子３Ｃは、浴室側障子である。第２障子３Ｂは、第１障子３Ａと第３障子３Ｃの間に位置する中間障子である。
【００１５】
上枠５は、障子３の浴室側に配置された垂下片５Ａと、障子３の上方に形成された通気路５Ｂと、回動により通気路５Ｂを開閉する開閉弁５Ｃと、上枠５の長手方向に延びる３つのレール（上レール）５Ｄ〜５Ｆを有している。上枠５の３つの上レール５Ｄ〜５Ｆは、下方に突出する突片であり、第１上レール５Ｄ、第２上レール５Ｅ、及び、第３上レール５Ｆからなる。上レール５Ｄ〜５Ｆは、上枠５の見込み方向に間隔を開けて並列し、脱衣室側から浴室側に向かって順に形成されている。第１上レール５Ｄは、脱衣室側レールであり、第３上レール５Ｆは、浴室側レールである。第２上レール５Ｅは、第１上レール５Ｄと第３上レール５Ｆの間に位置する中間レールである。上レール５Ｄ〜５Ｆは、障子３の上側で障子３をガイドする上ガイドであり、上枠５の長手方向への障子３のスライドをガイドする。
【００１６】
下枠６は、ベース部材６Ａと、ベース部材６Ａを覆うカバー部材６Ｂと、障子３よりも浴室側に位置するスロープ部６Ｃと、下枠６の長手方向に延びる３つのレール（下レール）６Ｄ〜６Ｆを有している。カバー部材６Ｂは、ベース部材６Ａの上側に配置されて、ベース部材６Ａに取り付けられている。スロープ部６Ｃと下レール６Ｄ〜６Ｆは、下枠６のカバー部材６Ｂに形成されている。スロープ部６Ｃは、カバー部材６Ｂの浴室側部であり、浴室内に向かって斜め下方に傾斜している。
【００１７】
下枠６の３つの下レール６Ｄ〜６Ｆは、上方に突出する突片であり、第１下レール６Ｄ、第２下レール６Ｅ、及び、第３下レール６Ｆからなる。下レール６Ｄ〜６Ｆは、下枠６の見込み方向に間隔を開けて並列し、脱衣室側から浴室側に向かって順に形成されている。第１下レール６Ｄは、脱衣室側レールであり、第３下レール６Ｆは、浴室側レールである。第２下レール６Ｅは、第１下レール６Ｄと第３下レール６Ｆの間に位置する中間レールである。下レール６Ｄ〜６Ｆは、障子３の下側で障子３をガイドする下ガイドであり、下枠６の長手方向への障子３のスライドをガイドする。
【００１８】
３つの障子３は、それぞれ上下方向に対向する上レール５Ｄ〜５Ｆと下レール６Ｄ〜６Ｆとにスライド可能に取り付けられている。具体的には、第１障子３Ａは、第１上レール５Ｄと第１下レール６Ｄとに取り付けられて、第１上レール５Ｄと第１下レール６Ｄとに沿ってスライドする。第２障子３Ｂは、第２上レール５Ｅと第２下レール６Ｅとに取り付けられて、第２上レール５Ｅと第２下レール６Ｅとに沿ってスライドする。第３障子３Ｃは、第３上レール５Ｆと第３下レール６Ｆとに取り付けられて、第３上レール５Ｆと第３下レール６Ｆとに沿ってスライドする。
【００１９】
障子３は、上框１２に形成された溝部１６を有している。溝部１６は、上框１２の長手方向に延び、障子３の上面部に開口している。上枠５の上レール５Ｄ〜５Ｆは、障子３の溝部１６に挿入されて、溝部１６内に配置されている。障子３の上縁部（上框１２）は、溝部１６により、上枠５の上レール５Ｄ〜５Ｆに取り付けられている。上レール５Ｄ〜５Ｆが障子３の上縁部をガイドして、障子３が上枠５及び上レール５Ｄ〜５Ｆの長手方向にスライドにより移動する。また、障子３が下枠６の下レール６Ｄ〜６Ｆに載せられて、障子３の下縁部（下框１３）が下レール６Ｄ〜６Ｆに取り付けられている。下レール６Ｄ〜６Ｆが障子３の下縁部をガイドして、障子３が下枠６及び下レール６Ｄ〜６Ｆの長手方向にスライドにより移動する。
【００２０】
建具１は、下枠６に設けられた下レール６Ｄ〜６Ｆに加えて、障子３に設けられた外れ止め機構８を備えている。外れ止め機構８は、障子３が下レール６Ｄ、６Ｆから外れるのを防止する外れ防止機構であり、下レール６Ｄ、６Ｆにスライド可能に連結されている。ここでは、外れ止め機構８は、第１障子３Ａと第３障子３Ｃの下縁部（下框１３）に設けられて、障子３Ａ、３Ｃが下レール６Ｄ、６Ｆから外れるのを防止する。以下、第３障子３Ｃを例にとり、障子３の外れ止め機構８について説明する。第１障子３Ａの外れ止め機構８は、第３障子３Ｃの外れ止め機構８と同様に構成されている。そのため、第１障子３Ａの外れ止め機構８については、第３障子３Ｃの外れ止め機構８とは異なる事項のみ説明する。
【００２１】
図３、図４は、第１実施形態の建具１の正面図であり、第１障子３Ａと第２障子３Ｂを省略して、枠体４の開口部４Ａにおいてスライドする第３障子３Ｃを示している。図３は、通常のスライド動作中の第３障子３Ｃを示し、図４は、外れ止め機構８が作動したときの第３障子３Ｃを示している。
図示のように、障子３（第３障子３Ｃ）は、一対の縦框１４の下端部に取り付けられた戸車１７を有している。戸車１７は、下枠６の下レール６Ｆ（第３下レール）に載せられて、下レール６Ｆにより、下レール６Ｆの長手方向にガイドされる（図３参照）。障子３は、左右の戸車１７により、下レール６Ｆに沿って円滑にスライドする。
【００２２】
外れ止め機構８は、障子３の連結部２０に設けられており、障子３の連結部２０を下レール６Ｆにスライド可能に連結して、障子３が下レール６Ｆから外れるのを防止する。障子３の連結部２０は、一方の縦框１４側に位置する下框１３の端部である。一方の縦框１４は、ハンドル１５が取り付けられた戸先框であり、外れ止め機構８は、一方の縦框１４の戸車１７に隣接して配置されている。また、外れ止め機構８は、下レール６Ｆに沿ってスライド可能な外れ止め部材３０を有している。外れ止め機構８は、下レール６Ｆと係合する外れ止め部材３０により、障子３の連結部２０を下レール６Ｆに連結して、障子３の外れ止めを行う。
【００２３】
障子３が下レール６Ｆから上方に離隔するときに（図４参照）、外れ止め機構８の外れ止め部材３０は、障子３から突出して、障子３の外れ止め機能を発揮する。障子３が下レール６Ｆから上方に離隔するときとは、例えば、不意の動作に伴う力が障子３に加えられて障子３が持ち上げられるとき、障子３の変形（撓み等）に伴い障子３の下縁部が上方に変位するとき、障子３の傾きにより障子３の下縁部の一部が上方に変位するとき、又は、障子３が上方に移動するときである。
【００２４】
障子３の外れ止め機構８が設けられた部分（ここでは、連結部２０）が下レール６Ｆから上方に離隔するときに、外れ止め部材３０が障子３の連結部２０から突出する。外れ止め部材３０の突出前後、及び、突出中に、外れ止め機構８は、外れ止め部材３０により、下レール６Ｆに対する障子３の外れ止めを行い、障子３が下レール６Ｆから外れないようにする。なお、図２には、下レール６Ｆから離隔した第３障子３Ｃを示している。
【００２５】
図５は、第１実施形態の外れ止め部材３０を示す図である。図５Ａは、下レール６Ｆの長手方向からみた外れ止め部材３０の側面図であり、下レール６Ｆを含む下枠６の一部を二点鎖線で示している。図５Ｂは、図５Ａの矢印Ｘ１方向からみた外れ止め部材３０の正面図であり、図５Ｃは、図５Ｂの矢印Ｘ２方向からみた外れ止め部材３０の底面図である。
図示のように、下レール６Ｆは、下レール６Ｆの長手方向に延びる突部６Ｇを有している。突部６Ｇは、外れ止め部材３０と係合する下レール６Ｆの係合部（係合突部）であり、レール６Ｆの上端部に形成されている。突部６Ｇにより、下レール６Ｆは、上端部が障子３の厚み方向の一方側に屈曲する屈曲形状に形成されている。
【００２６】
外れ止め部材３０は、下レール６Ｆと係合する係合部３１と、複数の補強部３２と、障子３の下レール６Ｆに沿ったスライドをガイドするスライドガイド部３３と、柱状の摺動部３４と、摺動部３４に形成された停止部３５及び環状突起３６と、矩形状の複数（ここでは、２つ）の支持部３７を有している。係合部３１は、下レール６Ｆの長手方向に細長いブロック状部であり、外れ止め部材３０の下端側に形成されて、下レール６Ｆに沿って配置されている。複数の補強部３２は、リブ状に形成された補強リブであり、係合部３１の長手方向に間隔を開けて係合部３１の外面に形成されて、係合部３１を補強する。
【００２７】
スライドガイド部３３は、下レール６Ｆ及び係合部３１の長手方向に延びる溝部（ガイド溝）であり、係合部３１に溝状に形成されて、係合部３１の長手方向の両端面と下面に開口している。突部６Ｇを含む下レール６Ｆは、係合部３１のスライドガイド部３３に挿入されて、スライドガイド部３３内に配置される。係合部３１は、スライドガイド部３３内の下レール６Ｆと係合する。障子３がスライドするときに、スライドガイド部３３は、下レール６Ｆに沿って下レール６Ｆの長手方向にスライドして、障子３を下レール６Ｆに沿ってガイドする。
【００２８】
外れ止め部材３０の係合部３１は、スライドガイド部３３の内側に向かって突出する係合突起３８を有している。係合突起３８は、スライドガイド部３３の内側で、スライドガイド部３３及び係合部３１の下縁部に形成されて、下レール６Ｆ及び係合部３１の長手方向に延びる。また、係合突起３８は、下レール６Ｆの突部６Ｇと対向するスライドガイド部３３の対向部に形成されて、下レール６Ｆに向かって突出している。下レール６Ｆの突部６Ｇは、障子３の厚み方向（下枠６の見込み方向）の一方側に突出し、係合部３１の係合突起３８は、障子３の厚み方向の他方側に突出している。
【００２９】
ここでは、３つの下レール６Ｄ〜６Ｆにおいて（図２参照）、脱衣室側の第１下レール６Ｄの突部６Ｇは浴室側に突出し、浴室側の第３下レール６Ｆの突部６Ｇは脱衣室側に突出している。これに対し、脱衣室側の第１障子３Ａの外れ止め部材３０では、係合部３１の係合突起３８は、第１下レール６Ｄの突部６Ｇと相対するように、脱衣室側に突出している。また、浴室側の第３障子３Ｃの外れ止め部材３０では、係合部３１の係合突起３８は、第３下レール６Ｆの突部６Ｇと相対するように、浴室側に突出している。
【００３０】
係合部３１の係合突起３８（図５参照）は、下レール６Ｆの突部６Ｇの下側に配置されるとともに、突部６Ｇの下面に沿って配置されている。係合突起３８は、下レール６Ｆの突部６Ｇに下側から引っ掛かることで、下レール６Ｆの突部６Ｇに係合する。外れ止め部材３０の係合部３１と下レール６Ｆは、係合突起３８と突部６Ｇの係合により、互いに係合する。係合部３１及びスライドガイド部３３は、突部６Ｇを含む下レール６Ｆを覆い、下レール６Ｆに嵌め合わされる。
【００３１】
外れ止め部材３０の摺動部３４は、係合部３１の長手方向の中央部に形成されて、係合部３１から上方に突出している。外れ止め部材３０の突出時に、摺動部３４の摺動により、外れ止め部材３０がガイドされる。停止部３５は、摺動部３４の上端部に形成された複数のフック部からなる。環状突起３６は、摺動部３４の外周に環状に形成されており、摺動部３４の下端部と上端部（停止部３５）の間に位置している。２つの支持部３７は、係合部３１の長手方向における摺動部３４の両側に形成されて、係合部３１から上方に突出している。支持部３７の縁部に沿って周壁３７Ａが形成されて、支持部３７が周壁３７Ａにより補強されている。外れ止め部材３０の突出前後、及び、突出中に、外れ止め部材３０は、支持部３７により支持される。
【００３２】
図６は、第１実施形態の外れ止め機構８を障子３の一部と下枠６とともに示す図である。図６Ａは、図２に対応する縦断面図であり、２つの障子３Ａ、３Ｂを省略している。図６Ｂは、図３に対応する正面図であり、障子３（第３障子３Ｃ）を透視して、外れ止め機構８を含む障子３の内部構造を示している。
図示のように、外れ止め機構８は、外れ止め部材３０が取り付けられる板状の取付部２１と、外れ止め部材３０をガイドする突出ガイド２２と、外れ止め部材３０を収納する収納部２３を有している。取付部２１と収納部２３は、障子３の連結部２０である下框１３に形成され、突出ガイド２２は、下框１３に取り付けられている。
【００３３】
取付部２１は、下框１３の下板部の一部であり、下框１３内に設けられている。取付部２１が下枠６の下レール６Ｆの上方に位置し、取付部２１と下レール６Ｆが上下方向に対向している。突出ガイド２２は、取付部２１に形成された取付孔に挿入されて、取付部２１に取り付けられている。外れ止め部材３０の２つの支持部３７は、下レール６Ｆの長手方向に離隔して形成されており、それぞれ取付部２１に形成された配置孔に配置された状態で、上下方向に移動する。収納部２３は、下框１３に形成された収納空間であり、取付部２１の上側に位置する下框１３の中空部２４と、取付部２１の下側に位置する下框１３の凹部２５からなる。
【００３４】
外れ止め部材３０の摺動部３４は、収納部２３の凹部２５側から環状の突出ガイド２２に挿入される。これにより、摺動部３４は、突出ガイド２２から上方に突出して、収納部２３の中空部２４に収納される。摺動部３４が突出ガイド２２に摺動可能に取り付けられて、外れ止め部材３０が突出ガイド２２により取付部２１に取り付けられる。同時に、外れ止め部材３０の支持部３７は、取付部２１の配置孔に挿入されて、収納部２３の中空部２４に収納される。また、外れ止め部材３０の係合部３１と補強部３２は、収納部２３の凹部２５に収納される。
【００３５】
突出ガイド２２は、環状に配置された複数のガイド片２６を有している。複数のガイド片２６は、外れ止め部材３０の摺動部３４を囲んで配置され、突出ガイド２２の外側に向かって弾性変形可能になっている。摺動部３４の停止部３５と環状突起３６は、突出ガイド２２及び複数のガイド片２６よりも上方に配置されて、収納部２３の中空部２４に収納される。その状態で、外れ止め部材３０は、収納位置Ｓに配置されて、障子３から突出可能に収納部２３に収納される。
【００３６】
外れ止め部材３０の収納位置Ｓは、障子３から突出していないときの外れ止め部材３０の配置位置である。収納位置Ｓにおいて、外れ止め部材３０の全体、又は、外れ止め部材３０の下端部を除く部分が収納部２３に収納される。ここでは、収納位置Ｓにおいて、外れ止め部材３０の全体が収納部２３に収納される。また、障子３が下レール６Ｆに正常な状態で取り付けられたとき、及び、障子３が下レール６Ｆに沿って正常な動作でスライドするときに、外れ止め部材３０が収納位置Ｓに配置される。外れ止め部材３０は、収納位置Ｓから収納部２３の下側に向かって移動して、障子３から突出する。
【００３７】
障子３を下レール６Ｆに取り付けるため、例えば、カバー部材６Ｂの長手方向の一部を取り外し可能に形成する。障子３の取り付け時には、カバー部材６Ｂの一部を下枠６から取り外す。その状態で、カバー部材６Ｂを取り外した部分に障子３を配置して、残りのカバー部材６Ｂの下レール６Ｆに向かって障子３を移動する。続いて、障子３を下レール６Ｆに沿ってスライドして、障子３の全体を下レール６Ｆに載せる。同時に、下レール６Ｆを外れ止め部材３０のスライドガイド部３３に挿入して、外れ止め部材３０の係合部３１を下レール６Ｆにスライド可能に取り付ける。これにより、外れ止め部材３０は、収納位置Ｓに配置される。その後、カバー部材６Ｂの一部を下枠６に取り付ける。
【００３８】
図７、図８は、第１実施形態の障子３から突出する外れ止め部材３０を示す図であり、図６と同様に、障子３の一部と外れ止め機構８を示している。
図示のように、外れ止め部材３０は、収納部２３に収納される収納位置Ｓと最突出位置Ｔ（図７参照）との間で移動する。外れ止め部材３０の最突出位置Ｔは、障子３から最も突出するときの外れ止め部材３０の配置位置である。障子３を下レール６Ｆから取り外した状態で、外れ止め部材３０は、最突出位置Ｔに移動して、最突出位置Ｔまで突出する。
【００３９】
突出ガイド２２は、障子３から突出する外れ止め部材３０をガイドする。その際、外れ止め部材３０の摺動部３４が、突出ガイド２２に対して摺動して、突出ガイド２２によりガイドされる。摺動部３４は、複数のガイド片２６を含む突出ガイド２２の内側に配置された状態で、突出ガイド２２の内周面を摺動して、外れ止め部材３０の突出方向にガイドされる。また、外れ止め部材３０は、収納部２３から引き出されて、最突出位置Ｔに配置される。その状態で、摺動部３４の停止部３５が複数のガイド片２６の上端部に引っ掛かることで、外れ止め部材３０が最突出位置Ｔで停止する。
【００４０】
外れ止め機構８は、外れ止め部材３０を障子３側（収納部２３側）の保持位置Ｈ（図８参照）で保持する保持手段２７を有している。障子３を下レール６Ｆに取り付ける前、及び、障子３を下レール６Ｆから取り外したときに、外れ止め部材３０を最突出位置Ｔよりも障子３側の保持位置Ｈで保持することで、外れ止め部材３０が邪魔になるのを抑制する。保持手段２７は、摺動部３４の環状突起３６と、突出ガイド２２の複数のガイド片２６からなる。複数のガイド片２６は、爪状の係止部（係止爪）であり、環状突起３６は、環状の被係止部（被係止突起）である。環状突起３６は、複数のガイド片２６の上端部に接触して、複数のガイド片２６に係止される。
【００４１】
保持手段２７は、環状突起３６のガイド片２６への係止により、外れ止め部材３０を保持する。外れ止め部材３０の保持位置Ｈは、収納位置Ｓ、又は、収納位置Ｓと最突出位置Ｔの間の位置（中間位置）であり、保持手段２７は、最突出位置Ｔよりも上方の保持位置Ｈに外れ止め部材３０を保持する。ここでは、保持位置Ｈは、中間位置である。保持位置Ｈにおいて、外れ止め部材３０の上側部が収納部２３に収納され、外れ止め部材３０の下側部が収納部２３の下側に配置される。また、外れ止め部材３０の係合部３１が、収納部２３の下側に配置されて、障子３から下方に突出する。
【００４２】
外れ止め部材３０が保持位置Ｈから最突出位置Ｔに向かって移動するときに、摺動部３４の環状突起３６は、複数のガイド片２６を突出ガイド２２の外側に向かって変形させつつ、複数のガイド片２６の内側を通過する。その際、複数のガイド片２６は、環状突起３６により押されて放射状に弾性変形し、環状突起３６の通過を許容する。環状突起３６の通過後に、複数のガイド片２６は、弾性変形前の状態に復元する（図７参照）。保持手段２７は、複数のガイド片２６の弾性変形により、外れ止め部材３０の保持位置Ｈでの保持を解除する。
【００４３】
図９は、第１実施形態の外れ止め機構８が作動したときの状態を示す図であり、図６と同様に、外れ止め機構８を障子３の一部と下枠６とともに示している。
図示のように、外れ止め部材３０に設けられた係合部３１は、係合突起３８により下レール６Ｆの突部６Ｇと係合する。障子３が下レール６Ｆから上方に離隔するときに、外れ止め部材３０は、下レール６Ｆと係合する係合部３１により障子３から引き出されて突出する。これにより、外れ止め部材３０は、障子３から下レール６Ｆまで突出する。その状態で、係合部３１は、下レール６Ｆと係合した状態に維持される。また、外れ止め機構８は、外れ止め部材３０により、障子３を下レール６Ｆと連結された状態に維持して、障子３が下レール６Ｆから外れるのを防止する。
【００４４】
外れ止め部材３０は、係合部３１と係合する下レール６Ｆにより引っ張られて、収納位置Ｓから移動する。また、外れ止め部材３０は、障子３及び収納部２３から下方に引き出されて、障子３から下レール６Ｆに向かって下方に突出する。下レール６Ｆと係合する係合部３１により外れ止め部材３０が保持位置Ｈから引き出されるときに、外れ止め機構８の保持手段２７は、外れ止め部材３０の保持を解除して、外れ止め部材３０の突出を許容する。これに伴い、外れ止め部材３０は、下レール６Ｆの引っ張りにより、保持位置Ｈよりも最突出位置Ｔ側の位置まで引き出される。
【００４５】
障子３が下レール６Ｆからの離隔を開始するとき、又は、障子３が下レール６Ｆから所定間隔だけ離隔したときに、保持手段２７は、外れ止め部材３０の保持を解除する。ここでは、障子３が下レール６Ｆから所定間隔だけ離隔したときに、環状突起３６が複数のガイド片２６の上端部に接触する。また、外れ止め部材３０が下レール６Ｆにより所定の力以上の力で引っ張られると、環状突起３６が、複数のガイド片２６を押し開きながら、複数のガイド片２６の内側を通過する。これにより、複数のガイド片２６による環状突起３６の係止が解除されて、保持手段２７による外れ止め部材３０の保持が解除される。
【００４６】
障子３の下レール６Ｆからの最大離隔間隔は、障子３の上方への移動可能な距離、障子３の最大撓み量、建具１の部品の公差等に基づいて、算出される。外れ止め部材３０の障子３からの最大突出長さは、障子３の下レール６Ｆからの最大離隔間隔よりも長くなっている。そのため、障子３が下レール６Ｆから上方に離隔するときに、外れ止め部材３０は、最突出位置Ｔまで突出することなく、収納位置Ｓと最突出位置Ｔの間で移動する。
【００４７】
外れ止め部材３０は、障子３からの突出方向を変化可能に突出ガイド２２及び取付部２１に取り付けられている。そのため、外れ止め部材３０は、下レール６Ｆに対する障子３の傾きに対応して障子３からの突出方向を変化させて、障子３から突出する（図９Ｂ参照）。また、下レール６Ｆから上方に離隔する障子３が下レール６Ｆに対して障子３の厚み方向に変位するときに（図９Ａ参照）、外れ止め部材３０は、障子３の変位方向に対応して障子３からの突出方向を変化させて、障子３から突出する。外れ止め部材３０は、下レール６Ｆに対する障子３の傾きと位置に対応して突出方向を変化させて、障子３から下レール６Ｆまで突出する。
【００４８】
外れ止め機構８は、外れ止め部材３０の支持部３７と接触する接触部２８（図９Ａ参照）を有している。外れ止め機構８の接触部２８は、収納部２３の内面部（ここでは、下框１３の内面部）であり、収納部２３内に設けられている。外れ止め部材３０が障子３から突出するときに、外れ止め部材３０の支持部３７は、接触部２８と接触して、接触部２８により支持される。外れ止め機構８は、支持部３７と接触する接触部２８により、外れ止め部材３０に加わる荷重を受ける。また、支持部３７が接触部２８に接触することで、外れ止め部材３０の障子３からの突出方向が制限され、上下方向に対する外れ止め部材３０の傾斜が規制される。
【００４９】
以上説明した建具１では、障子３が下レール６Ｆから上方に離隔するときに、外れ止め部材３０が障子３から突出する。その際、外れ止め部材３０は、係合部３１により下レール６Ｆと係合して、障子３の外れ止め機能を発揮する。従って、障子３が下レール６Ｆから上方に離隔する状態で、障子３が下レール６Ｆから外れるのを防止して、障子３の脱落を抑制することができる。また、外れ止め部材３０が外力により下レール６Ｆから外れるのが抑制され、外れ止め部材３０による障子３の外れ止め機能を向上することができる。
【００５０】
外れ止め部材３０の係合突起３８と下レール６Ｆの突部６Ｇとを係合するため、外れ止め部材３０と下レール６Ｆを簡単な係合構造で確実に係合することができる。また、外れ止め部材３０のスライドガイド部３３により、障子３のガイド機能を外れ止め部材３０に付加できるとともに、外れ止め部材３０及び障子３を下レール６Ｆに沿って円滑にスライドすることができる。外れ止め部材３０の突出時には、突出ガイド２２により、外れ止め部材３０の突出を円滑に行うことができる。外れ止め部材３０の支持部３７により、外れ止め部材３０を安定させることができ、外れ止め部材３０を下レール６Ｆと係合した状態に維持することもできる。
【００５１】
保持手段２７により、外れ止め部材３０を保持位置Ｈで保持するため、外れ止め部材３０が邪魔になるのを抑制することができる。保持位置Ｈが収納位置Ｓであるときには、外れ止め部材３０が邪魔になるのをより確実に抑制できるとともに、障子３が下レール６Ｆに取り付けられていない状態で、外れ止め部材３０の破損を抑制することができる。保持位置Ｈが収納位置Ｓと最突出位置Ｔの間の位置（中間位置）であるときには、外れ止め部材３０が邪魔になるのを抑制しつつ、外れ止め部材３０があることを認識させることができる。これにより、外れ止め部材３０を下レール６Ｆに取り付ける必要がある点について、注意を促すこともできる。
【００５２】
なお、外れ止め部材３０の障子３からの突出長さに関し、保持位置Ｈにおける突出長さは、任意の長さに設定可能であり、種々の長さに変更することができる。従って、保持位置Ｈにおける突出長さを図８に示す突出長さよりも短くして、外れ止め部材３０を図８に示す位置よりも収納位置Ｓ側（上側）の保持位置Ｈで保持してもよい。また、保持位置Ｈにおける突出長さを図８に示す突出長さよりも長くして、外れ止め部材３０を図８に示す位置よりも最突出位置Ｔ側（下側）の保持位置Ｈで保持してもよい。保持位置Ｈにおける突出長さが短くなるほど、外れ止め部材３０が邪魔になるのがより確実に抑制され、保持位置Ｈにおける突出長さが長くなるほど、外れ止め部材３０があることがより確実に認識される。
【００５３】
次に、第２〜第９実施形態の建具１について、第１実施形態の建具１と相違する事項を説明する。第２〜第９実施形態の建具１に関し、第１実施形態の建具１の構成に相当する構成には、第１実施形態の建具１の構成と同じ名称と符号を用い、第１実施形態の建具１と同じ事項の説明は省略する。
【００５４】
（第２実施形態）
図１０、図１１は、第２実施形態の外れ止め機構８を示す図であり、図７、図８と同様に、障子３の一部と外れ止め機構８を示している。
図示のように、第２実施形態の外れ止め機構８では、保持手段２７による外れ止め部材３０の保持位置Ｈが収納位置Ｓであり、保持位置Ｈと収納位置Ｓが一致する（図１０参照）。保持位置Ｈにおいて、外れ止め部材３０の全体が収納部２３に収納される。障子３が下レール６Ｆからの離隔を開始するときに、保持手段２７は、外れ止め部材３０の保持を解除する。外れ止め部材３０は、下レール６Ｆと係合する係合部３１により、保持位置Ｈから引き出されて、障子３から突出する（図１１参照）。
【００５５】
（第３実施形態）
図１２は、第３実施形態の外れ止め部材３０を示す図であり、図５と同様に、下レール６Ｆを含む下枠６の一部と外れ止め部材３０を示している。
図示のように、第３実施形態の外れ止め機構８では、外れ止め部材３０は、係合部３１の長手方向の中央部に形成された凹部４０と突片４１を有している。凹部４０と突片４１は、障子３の厚み方向において相対する位置に形成され、下レール６Ｆを挟んで、下レール６Ｆの一方側と他方側とに配置される。凹部４０は、係合部３１の係合突起３８側の壁部に形成されており、係合突起３８は、凹部４０により分断されている。突片４１は、係合突起３８とは反対側に位置する係合部３１の壁部の一部であり、下レール６Ｆに向かって突出する突起４２を有している。突起４２は、突片４１の下端部に形成されて、凹部４０に向かって突出している。
【００５６】
障子３を下レール６Ｆに取り付けるときには、例えば、障子３を上方から下レール６Ｆに載せる。同時に、下レール６Ｆを外れ止め部材３０のスライドガイド部３３に押し込む。その際、突片４１の突起４２が下レール６Ｆにより押されて、突片４１が下レール６Ｆから離れる方向に弾性変形する。続いて、係合突起３８が下レール６Ｆの突部６Ｇの下側に配置されて、下レール６Ｆがスライドガイド部３３に挿入される。突片４１が弾性変形前の形状に復元することで、係合突起３８と突片４１の突起４２が、下レール６Ｆの一方側と他方側とで、下レール６Ｆと対向する。このように、障子３及び外れ止め部材３０を下レール６Ｆに簡単に取り付けることができる。
【００５７】
（第４実施形態）
図１３、図１４は、第４実施形態の外れ止め機構８を示す図であり、図７Ｂ、図８Ｂと同様に、障子３の一部と外れ止め機構８を示している。
図示のように、第４実施形態の外れ止め機構８は、外れ止め部材３０を収納するケース５０を有している。ケース５０は、下框１３の中空部２４と凹部２５に配置されて、障子３の下框１３に取り付けられている。ケース５０の内部空間が外れ止め部材３０の収納部２３であり、ケース５０及び収納部２３は下方に向かって開放されている。外れ止め部材３０は、ケース５０の収納部２３に収納されて、ケース５０に取り付けられている。
【００５８】
第４実施形態の外れ止め部材３０は、第３実施形態の外れ止め部材３０と同様に、係合部３１に形成された凹部４０及び突片４１を有している。突出ガイド２２は、ケース５０に形成されたガイド孔であり、外れ止め部材３０の摺動部３４は、ガイド孔に対して摺動する。外れ止め部材３０の停止部３５が突出ガイド２２の周辺のケース５０に引っ掛かることで、外れ止め部材３０が最突出位置Ｔで停止する（図１４参照）。ただし、摺動部３４には、環状突起３６が形成されていない。
【００５９】
外れ止め機構８は、外れ止め部材３０の２つの支持部３７のそれぞれに形成されたフック部５１と、ケース５０に形成された２つの係止孔５２を有している。係止孔５２は、孔状の係止部であり、フック部５１は、弾性変形可能なフック状の被係止部である。フック部５１は、係止孔５２内に配置されて、係止孔５２に係止される（図１３参照）。外れ止め機構８の保持手段２７は、フック部５１と係止孔５２からなり、フック部５１の係止孔５２への係止により、外れ止め部材３０を保持位置Ｈで保持する。外れ止め部材３０の保持位置Ｈは収納位置Ｓであり、保持位置Ｈと収納位置Ｓが一致する。外れ止め部材３０が保持位置Ｈから最突出位置Ｔに向かって移動するときに、フック部５１が弾性変形して係止孔５２から外れる。これにより、係止孔５２によるフック部５１の係止が解除されて、保持手段２７による外れ止め部材３０の保持が解除される。
【００６０】
第４実施形態の外れ止め機構８では、外れ止め機構８をケース５０に内蔵されたユニットにすることができる。そのため、外れ止め機構８の取り扱いが簡単になり、外れ止め機構８を障子３に簡単に取り付けることができる。
【００６１】
図１５は、第４実施形態の外れ止め部材３０の他の例を示す図である。
図示のように、ここでは、外れ止め部材３０の係合部３１に、凹部４０及び突片４１が形成されていない。外れ止め部材３０は、第１実施形態の外れ止め部材３０と同様に、係合部３１に形成された係合突起３８を有している。
【００６２】
（第５実施形態）
図１６、図１７は、第５実施形態の外れ止め機構８を示す図であり、図７、図８と同様に、障子３の一部と外れ止め機構８を示している。
図示のように、第５実施形態の外れ止め機構８では、外れ止め部材３０は、複数の圧入部５３を有している。また、摺動部３４には、環状突起３６が形成されていない。複数の圧入部５３は、リブ状に形成された圧入リブであり、外れ止め部材３０の係合部３１に形成されている。また、複数の圧入部５３は、係合部３１の長手方向に間隔を開けて、かつ、障子３の厚み方向両側の係合部３１の外面に形成されている。
【００６３】
複数の圧入部５３は、係合部３１とともに、外れ止め機構８の収納部２３（ここでは、凹部２５）に押し込まれて、収納部２３に圧入される（図１６参照）。これにより、複数の圧入部５３は、収納部２３の内面部５４に押し付けられる。複数の圧入部５３と収納部２３の内面部５４との摩擦により、複数の圧入部５３が収納部２３の内面部５４に係止される。従って、複数の圧入部５３は、リブ状の被係止部（被係止リブ）であり、収納部２３の内面部５４は、面状の係止部である。
【００６４】
外れ止め機構８の保持手段２７は、複数の圧入部５３と収納部２３の内面部５４からなり、複数の圧入部５３の内面部５４への係止により、外れ止め部材３０を保持位置Ｈで保持する。外れ止め部材３０の保持位置Ｈは収納位置Ｓであり、保持位置Ｈと収納位置Ｓが一致する。外れ止め部材３０が保持位置Ｈから最突出位置Ｔに向かって移動するときに、複数の圧入部５３が係合部３１とともに収納部２３から引き出される（図１７参照）。これにより、内面部５４による複数の圧入部５３の係止が解除されて、保持手段２７による外れ止め部材３０の保持が解除される。
【００６５】
第５実施形態の外れ止め機構８では、外れ止め部材３０を収納部２３に押し込むだけで、外れ止め部材３０を保持位置Ｈ及び収納位置Ｓに保持することができる。そのため、外れ止め機構８の構造を簡単にすることができる。なお、ここでは、保持手段２７は、摩擦により、外れ止め部材３０を係止して、外れ止め部材３０を保持位置Ｈに保持している。これに対し、保持手段２７は、他の手段（例えば、粘着、磁力）により、外れ止め部材３０を保持位置Ｈに保持してもよい。
【００６６】
（第６実施形態）
図１８は、第６実施形態の外れ止め部材３０を示す図であり、図５と同様に、下レール６Ｆを含む下枠６の一部と外れ止め部材３０を示している。
図示のように、第６実施形態の外れ止め機構８では、外れ止め部材３０は、係合部３１の長手方向の両端部に形成された誘導溝５５（図１８Ｃ参照）を有している。２つの誘導溝５５のそれぞれは、溝状のスライドガイド部３３の端部と連続して、下レール６Ｆの長手方向に延び、係合部３１の長手方向の端面に開口している。また、誘導溝５５の幅は、スライドガイド部３３の幅よりも広く、誘導溝５５は、スライドガイド部３３の端部から係合部３１の長手方向の端面に向かって次第に広くなる。
【００６７】
図１９は、第６実施形態の外れ止め部材３０を下レール６Ｆに取り付ける手順を示す図であり、図６Ｂと同様に、外れ止め機構８を障子３の一部と下枠６とともに示している。
図示のように、まず、カバー部材６Ｂの一部を下枠６から取り外す（図１９Ａ参照）。その状態で、カバー部材６Ｂを取り外した部分に障子３を配置して、残りのカバー部材６Ｂの下レール６Ｆに向かって障子３を移動する（図１９Ｂ参照）。続いて、障子３を下レール６Ｆに沿ってスライドして、障子３の全体を下レール６Ｆに載せる（図１９Ｃ、図１９Ｄ参照）。
【００６８】
障子３のスライドに伴い、外れ止め部材３０の係合部３１が下レール６Ｆの端部６Ｈと接触して、外れ止め部材３０が下レール６Ｆにより収納位置Ｓに押し上げられる。また、下レール６Ｆの端部６Ｈは、外れ止め部材３０の誘導溝５５に挿入されて、誘導溝５５により、外れ止め部材３０のスライドガイド部３３に誘導される。続いて、下レール６Ｆがスライドガイド部３３に挿入されて、外れ止め部材３０の係合部３１が下レール６Ｆにスライド可能に取り付けられる。その後、カバー部材６Ｂの一部を下枠６に取り付ける。第６実施形態の外れ止め機構８では、誘導溝５５の誘導により、下レール６Ｆをスライドガイド部３３に容易に挿入して、外れ止め部材３０を下レール６Ｆに確実に取り付けることができる。
【００６９】
（第７実施形態）
図２０は、第７実施形態の外れ止め機構８を示す図であり、図６と同様に、外れ止め機構８を障子３の一部と下枠６とともに示している。
図示のように、障子３を下レール６Ｆに取り付けるときに、誤って、下レール６Ｆが外れ止め部材３０のスライドガイド部３３に挿入されないことがある。この場合には、外れ止め部材３０の係合部３１が下レール６Ｆと係合せずに、外れ止め部材３０が下レール６Ｆに載せられる。
【００７０】
第７実施形態の外れ止め機構８では、外れ止め部材３０の係合部３１が下レール６Ｆと係合せずに外れ止め部材３０が下レール６Ｆに載せられたときに、係合部３１が下レール６Ｆと障子３（取付部２１）の間に挟まれる。係合部３１により、障子３の戸車１７は、下レール６Ｆから上方に離隔した位置に配置され、下レール６Ｆと接触せずに宙に浮く。また、係合部３１と下レール６Ｆとの摩擦により、障子３の下レール６Ｆに沿うスライドが阻害される。これにより、障子３の下レール６Ｆへの取り付けや、係合部３１の下レール６Ｆへの係合が正常に行われていないことを認識させ、注意を促すことができる。
【００７１】
（第８実施形態）
図２１は、第８実施形態の外れ止め機構８を示す図であり、図６と同様に、外れ止め機構８を障子３の一部と下枠６とともに示している。
図示のように、第８実施形態の外れ止め機構８では、外れ止め部材３０は、係合部３１が下レール６Ｆと係合せずに下レール６Ｆに載せられたときに、下レール６Ｆと接触する突起５６を有する。複数の突起５６が、係合部３１に形成されており、外れ止め部材３０が下レール６Ｆに載せられた状態で、係合部３１から下レール６Ｆに向かって突出する。また、複数の突起５６は、係合部３１の長手方向に間隔を開けて、係合部３１の係合突起３８の下面に形成されている。外れ止め部材３０の突起５６は、下レール６Ｆの突部６Ｇに載せられて、突部６Ｇと接触する。
【００７２】
第７実施形態と同様に、係合部３１が下レール６Ｆと係合せずに外れ止め部材３０が下レール６Ｆに載せられたときに、係合部３１が下レール６Ｆと障子３（取付部２１）の間に挟まれる。係合部３１により、障子３の戸車１７は、下レール６Ｆから上方に離隔した位置に配置され、下レール６Ｆと接触せずに宙に浮く。外れ止め部材３０は、係合部３１に設けられた突起５６でのみ下レール６Ｆと接触する。そのため、外れ止め部材３０と下レール６Ｆとの摩擦が大きくなるのが抑制される。外れ止め部材３０の突起５６は、スライド突起であり、障子３が下レール６Ｆに沿ってスライドするときに、下レール６Ｆに接触しつつ下レール６Ｆに沿ってスライドする。
【００７３】
下レール６Ｆは、外れ止め部材３０の突起５６が下レール６Ｆと接触した状態で障子３とともにスライドするときに、外れ止め部材３０の突起５６と接触する接触部を有する。ここでは、下レール６Ｆは、長手方向に分割されており、下レール６Ｆの接触部は、下レール６Ｆの継ぎ目である。下レール６Ｆの接触部が外れ止め部材３０の突起５６と接触することで、外れ止め部材３０の突起５６が下レール６Ｆの接触部に当たって、外れ止め部材３０がスライド方向以外の方向に動く。これにより、スライドする外れ止め部材３０が震動する。また、障子３のスライドに伴い、外れ止め部材３０の突起５６が下レール６Ｆの接触部と接触して接触部を乗り越えるときに、外れ止め部材３０が揺動して震動する。
【００７４】
震動に伴い、外れ止め部材３０は、音（例えば、ガタツキ音）を発生する。そのため、障子３の下レール６Ｆへの取り付けや、係合部３１の下レール６Ｆへの係合が正常に行われていないことを認識させ、注意を促すことができる。なお、外れ止め部材３０が下レール６Ｆに載せられたときに、障子３の戸車１７が下レール６Ｆに接触していてもよい。
【００７５】
（第９実施形態）
図２２は、第９実施形態の建具１の縦断面図であり、図２と同様に、建具１の概略構成を示している。
図示のように、第９実施形態の建具１は、２つの障子３を備えている。障子３は、上枠５の上レール５Ｋと下枠６の下レール６Ｋとにスライド可能に取り付けられている。外れ止め機構８は、脱衣室側の障子３に設けられている。なお、図２２では、脱衣室側の障子３が下レール６Ｋから上方に離隔して、外れ止め部材３０が障子３から突出している。
【００７６】
このように、建具１は、三枚片引戸以外の建具であってもよい。建具１が１つの障子３を備えていてもよく、建具１が複数の障子３を備えていてもよい。複数の障子３の全てに外れ止め機構８を設けてもよく、複数の障子３の一部に外れ止め機構８を設けてもよい。各障子３の外れ止め機構８において、以上説明した各実施形態を種々組み合わせて実施してもよい。また、本発明は、下レールに沿ってスライドする障子を備えた種々の建具（例えば、引戸、引き違い戸、引き違い窓）に適用することができる。建具は、浴室の出入り口に限定されず、建物の種々の開口部に設置される。
【符号の説明】
【００７７】
１・・・建具、３・・・障子、４・・・枠体、５・・・上枠、６・・・下枠、７・・・縦枠、８・・・外れ止め機構、１０・・・框体、１１・・・パネル体、１２・・・上框、１３・・・下框、１４・・・縦框、１５・・・ハンドル、１６・・・溝部、１７・・・戸車、２０・・・連結部、２１・・・取付部、２２・・・突出ガイド、２３・・・収納部、２４・・・中空部、２５・・・凹部、２６・・・ガイド片、２７・・・保持手段、２８・・・接触部、３０・・・外れ止め部材、３１・・・係合部、３２・・・補強部、３３・・・スライドガイド部、３４・・・摺動部、３５・・・停止部、３６・・・環状突起、３７・・・支持部、３８・・・係合突起、４０・・・凹部、４１・・・突片、４２・・・突起、５０・・・ケース、５１・・・フック部、５２・・・係止孔、５３・・・圧入部、５４・・・内面部、５５・・・誘導溝、５６・・・突起、Ｈ・・・保持位置、Ｓ・・・収納位置、Ｔ・・・最突出位置。
【図１】
2019143445.tif 000003
【図２】
2019143445.tif 000004
【図３】
2019143445.tif 000005
【図４】
2019143445.tif 000006
【図５】
2019143445.tif 000007
【図６】
2019143445.tif 000008
【図７】
2019143445.tif 000009
【図８】
2019143445.tif 000010
【図９】
2019143445.tif 000011
【図１０】
2019143445.tif 000012
【図１１】
2019143445.tif 000013
【図１２】
2019143445.tif 000014
【図１３】
2019143445.tif 000015
【図１４】
2019143445.tif 000016
【図１５】
2019143445.tif 000017
【図１６】
2019143445.tif 000018
【図１７】
2019143445.tif 000019
【図１８】
2019143445.tif 000020
【図１９】
2019143445.tif 000021
【図２０】
2019143445.tif 000022
【図２１】
2019143445.tif 000023
【図２２】
2019143445.tif 000024